【手続補正書】
【提出日】平成18年5月1日(2006.5.1)
【手続補正１】
【補正対象書類名】明細書
【補正対象項目名】発明の名称
【補正方法】変更
【補正の内容】
【発明の名称】記録装置および方法、再生装置および方法、並びに記録媒体
【手続補正２】
【補正対象書類名】明細書
【補正対象項目名】特許請求の範囲
【補正方法】変更
【補正の内容】
【特許請求の範囲】
【請求項１】
記録媒体に対してＡＶデータを記録する記録装置において、
前記ＡＶデータをファイル化したＡＶデータファイルを前記記録媒体に対して記録するＡＶデータファイル記録手段と、
前記ＡＶデータファイルの再生範囲を示す再生範囲情報を生成する生成手段と、
前記再生範囲の少なくとも一方の端の状態を分類する分類手段と、
前記分類手段の分類結果を示す情報を前記再生範囲情報に付加する付加手段と、
少なくとも１以上の前記再生範囲情報から再生リストを構成する構成手段と、
前記再生リストを前記記録媒体に対して記録する再生リスト記録手段と
を含むことを特徴とする記録装置。
【請求項２】
前記分類手段は、前記再生範囲の少なくとも一方の端の状態を、連続する再生範囲との境界で再生がノンシームレスになる可能性があることを示すタイプに分類する
ことを特徴とする請求項１に記載の記録装置。
【請求項３】
前記分類手段の分類結果に対応して、連続する再生範囲との境界で再生をシームレスにするためのブリッジシーケンスを作成する作成手段を
さらに含むことを特徴とする請求項１に記載の記録装置。
【請求項４】
記録媒体に対してＡＶデータを記録する記録装置の記録方法において、
前記ＡＶデータをファイル化したＡＶデータファイルを前記記録媒体に対して記録するＡＶデータファイル記録ステップと、
前記ＡＶデータファイルの再生範囲を示す再生範囲情報を生成する生成ステップと、
前記再生範囲の少なくとも一方の端の状態を分類する分類ステップと、
前記分類ステップの処理での分類結果を示す情報を前記再生範囲情報に付加する付加ステップと、
少なくとも１以上の前記再生範囲情報から再生リストを構成する構成ステップと、
前記再生リストを前記記録媒体に対して記録する再生リスト記録ステップと
を含むことを特徴とする記録方法。
【請求項５】
情報記録媒体に対してＡＶデータを記録する記録用のプログラムであって、
前記ＡＶデータをファイル化したＡＶデータファイルを前記情報記録媒体に対して記録するＡＶデータファイル記録ステップと、
前記ＡＶデータファイルの再生範囲を示す再生範囲情報を生成する生成ステップと、
前記再生範囲の少なくとも一方の端の状態を分類する分類ステップと、
前記分類ステップの処理での分類結果を示す情報を前記再生範囲情報に付加する付加ステップと、
少なくとも１以上の前記再生範囲情報から再生リストを構成する構成ステップと、
前記再生リストを前記情報記録媒体に対して記録する再生リスト記録ステップと
を含むことを特徴とするコンピュータが読み取り可能なプログラムが記録されている記録媒体。
【請求項６】
記録媒体からＡＶデータを再生する再生装置において、
前記記録媒体に記録されている再生リストを読み出す読み出し手段と、
前記再生リストを構成する少なくとも１以上の再生範囲情報から、再生範囲の少なくとも一方の端の状態を示す情報を抽出する抽出手段と、
前記抽出手段が抽出した前記再生範囲の少なくとも一方の端の状態を示す情報に基づいて、前記記録媒体に記録されているＡＶデータを再生する再生手段と
を含むことを特徴とする再生装置。
【請求項７】
記録媒体からＡＶデータを再生する再生装置の再生方法において、
前記記録媒体に記録されている再生リストを読み出す読み出しステップと、
前記再生リストを構成する少なくとも１以上の再生範囲情報から、再生範囲の少なくとも一方の端の状態を示す情報を抽出する抽出ステップと、
前記抽出ステップの処理で抽出された前記再生範囲の少なくとも一方の端の状態を示す情報に基づいて、前記記録媒体に記録されているＡＶデータを再生する再生ステップと
を含むことを特徴とする再生方法。
【請求項８】
情報記録媒体からＡＶデータを再生する再生用のプログラムであって、
前記情報記録媒体に記録されている再生リストを読み出す読み出しステップと、
前記再生リストを構成する少なくとも１以上の再生範囲情報から、再生範囲の少なくとも一方の端の状態を示す情報を抽出する抽出ステップと、
前記抽出ステップの処理で抽出された前記再生範囲の少なくとも一方の端の状態を示す情報に基づいて、前記情報記録媒体に記録されているＡＶデータを再生する再生ステップと
を含むことを特徴とするコンピュータが読み取り可能なプログラムが記録されている記録媒体。
【請求項９】
ＡＶデータと、ＡＶデータの再生範囲を示す情報と前記再生範囲の少なくとも一方の端の接続状態を示す情報とを含む再生範囲情報から構成される再生リストと
が記録された記録媒体。
【請求項１０】
記録媒体に対してＡＶデータを記録する記録装置において、
前記ＡＶデータ、およびＡＶデータの再生範囲を示す情報と前記再生範囲の接続点の状態を示す情報とを含む再生範囲情報から構成される再生リストを前記記録媒体に対して記録する記録手段と、
前記再生範囲の接続点の状態を分類し、該分類結果を示す情報を前記再生範囲情報に付加するよう制御する制御手段と
を含むことを特徴とする記録装置。
【請求項１１】
記録媒体に記録されたＡＶデータを再生する再生装置において、
前記ＡＶデータ、およびＡＶデータの再生範囲を示す情報と前記再生範囲の接続点の状態を示す情報とを含む再生範囲情報から構成される再生リストを前記記録媒体から読み出す読み出し手段と、
前記再生範囲の接続点の状態を示す情報に基づいて、前記ＡＶデータの再生を制御する制御手段と
を含むことを特徴とする再生装置。
【手続補正３】
【補正対象書類名】明細書
【補正対象項目名】０００１
【補正方法】変更
【補正の内容】
【０００１】
【発明の属する技術分野】
本発明は、記録装置および方法、記録再生装置および方法、並びに記録媒体に関し、特に、ランダムアクセスして読み出した不連続なＡＶデータをシームレス再生する場合に用いて好適な記録装置および方法、記録再生装置および方法、並びに記録媒体に関する。
【手続補正４】
【補正対象書類名】明細書
【補正対象項目名】０００２
【補正方法】変更
【補正の内容】
【０００２】
【従来の技術】
近年、データを記録して再生できるメディアとして、DVD-RAM(Digital Versatile Disk-Random Access Memory)等が開発された。DVD-RAMのような大容量メディアは、ビデオ信号等のディジタルＡＶ(Audio Visual)信号を記録するメディアとしての期待が高い。
【手続補正５】
【補正対象書類名】明細書
【補正対象項目名】０００９
【補正方法】変更
【補正の内容】
【０００９】
【課題を解決するための手段】
請求項１に記載の記録装置は、ＡＶデータをファイル化したＡＶデータファイルを記録媒体に対して記録するＡＶデータファイル記録手段と、ＡＶデータファイルの再生範囲を示す再生範囲情報を生成する生成手段と、再生範囲の少なくとも一方の端の状態を分類する分類手段と、分類手段の分類結果を示す情報を再生範囲情報に付加する付加手段と、少なくとも１以上の再生範囲情報から再生リストを構成する構成手段と、再生リストを記録媒体に対して記録する再生リスト記録手段とを含むことを特徴とする。
【手続補正６】
【補正対象書類名】明細書
【補正対象項目名】００１０
【補正方法】変更
【補正の内容】
【００１０】
前記分類手段は、再生範囲の少なくとも一方の端の状態を、連続する再生範囲との境界で再生がノンシームレスになる可能性があることを示すタイプに分類するようにすることができる。
【手続補正７】
【補正対象書類名】明細書
【補正対象項目名】００１１
【補正方法】変更
【補正の内容】
【００１１】
請求項３に記載の記録装置は、分類手段の分類結果に対応して、連続する再生範囲との境界で再生をシームレスにするためのブリッジシーケンスを作成する作成手段をさらに含むことができる。
【手続補正８】
【補正対象書類名】明細書
【補正対象項目名】００１２
【補正方法】変更
【補正の内容】
【００１２】
請求項４に記載の記録方法は、ＡＶデータをファイル化したＡＶデータファイルを記録媒体に対して記録するＡＶデータファイル記録ステップと、ＡＶデータファイルの再生範囲を示す再生範囲情報を生成する生成ステップと、再生範囲の少なくとも一方の端の状態を分類する分類ステップと、分類ステップの処理での分類結果を示す情報を再生範囲情報に付加する付加ステップと、少なくとも１以上の再生範囲情報から再生リストを構成する構成ステップと、再生リストを記録媒体に対して記録する再生リスト記録ステップと
を含むことを特徴とする。
【手続補正９】
【補正対象書類名】明細書
【補正対象項目名】００１３
【補正方法】変更
【補正の内容】
【００１３】
請求項５に記載の記録媒体は、ＡＶデータをファイル化したＡＶデータファイルを情報記録媒体に対して記録するＡＶデータファイル記録ステップと、ＡＶデータファイルの再生範囲を示す再生範囲情報を生成する生成ステップと、再生範囲の少なくとも一方の端の状態を分類する分類ステップと、分類ステップの処理での分類結果を示す情報を再生範囲情報に付加する付加ステップと、少なくとも１以上の再生範囲情報から再生リストを構成する構成ステップと、再生リストを情報記録媒体に対して記録する再生リスト記録ステップとを含むことを特徴とするコンピュータが読み取り可能なプログラムが記録されている。
請求項１に記載の記録装置、請求項４に記載の記録方法、および請求項５に記載の記録媒体のプログラムにおいては、ＡＶデータをファイル化したＡＶデータファイルが情報記録媒体に対して記録され、ＡＶデータファイルの再生範囲を示す再生範囲情報が生成され、再生範囲の少なくとも一方の端の状態が分類され、この分類結果を示す情報が再生範囲情報に付加され、少なくとも１以上の再生範囲情報から再生リストが構成されて、構成された再生リストが情報記録媒体に対して記録される。
【手続補正１０】
【補正対象書類名】明細書
【補正対象項目名】００１４
【補正方法】変更
【補正の内容】
【００１４】
請求項６に記載の再生装置は、記録媒体に記録されている再生リストを読み出す読み出し手段と、再生リストを構成する少なくとも１以上の再生範囲情報から、再生範囲の少なくとも一方の端の状態を示す情報を抽出する抽出手段と、抽出手段が抽出した再生範囲の少なくとも一方の端の状態を示す情報に基づいて、記録媒体に記録されているＡＶデータを再生する再生手段とを含むことを特徴とする。
【手続補正１１】
【補正対象書類名】明細書
【補正対象項目名】００１５
【補正方法】変更
【補正の内容】
【００１５】
請求項７に記載の再生方法は、記録媒体に記録されている再生リストを読み出す読み出しステップと、再生リストを構成する少なくとも１以上の再生範囲情報から、再生範囲の少なくとも一方の端の状態を示す情報を抽出する抽出ステップと、抽出ステップの処理で抽出された再生範囲の少なくとも一方の端の状態を示す情報に基づいて、記録媒体に記録されているＡＶデータを再生する再生ステップとを含むことを特徴とする。
【手続補正１２】
【補正対象書類名】明細書
【補正対象項目名】００１６
【補正方法】変更
【補正の内容】
【００１６】
請求項８に記載の記録媒体は、情報記録媒体に記録されている再生リストを読み出す読み出しステップと、再生リストを構成する少なくとも１以上の再生範囲情報から、再生範囲の少なくとも一方の端の状態を示す情報を抽出する抽出ステップと、抽出ステップの処理で抽出された再生範囲の少なくとも一方の端の状態を示す情報に基づいて、情報記録媒体に記録されているＡＶデータを再生する再生ステップとを含むことを特徴とするコンピュータが読み取り可能なプログラムが記録されている。
請求項６に記載の再生装置、請求項７に記載の再生方法、請求項８に記載の記録媒体のプログラムにおいては、情報記録媒体に記録されている再生リストが読み出され、読み出された再生リストを構成する少なくとも１以上の再生範囲情報から、再生範囲の少なくとも一方の端の状態を示す情報が抽出され、抽出された再生範囲の少なくとも一方の端の状態を示す情報に基づいて、情報記録媒体に記録されているＡＶデータが再生される。
【手続補正１３】
【補正対象書類名】明細書
【補正対象項目名】００１７
【補正方法】変更
【補正の内容】
【００１７】
請求項９に記載の記録媒体は、ＡＶデータと、ＡＶデータの再生範囲を示す情報と前記再生範囲の少なくとも一方の端の接続状態を示す情報とを含む再生範囲情報から構成される再生リストとが記録されている。
【手続補正１４】
【補正対象書類名】明細書
【補正対象項目名】００１８
【補正方法】変更
【補正の内容】
【００１８】
請求項１０に記載の記録装置は、ＡＶデータ、およびＡＶデータの再生範囲を示す情報と前記再生範囲の接続点の状態を示す情報とを含む再生範囲情報から構成される再生リストを記録媒体に対して記録する記録手段と、再生範囲の接続点の状態を分類し、該分類結果を示す情報を再生範囲情報に付加するよう制御する制御手段とを含む。
請求項１０に記載の記録装置においては、ＡＶデータ、およびＡＶデータの再生範囲を示す情報と前記再生範囲の接続点の状態を示す情報とを含む再生範囲情報から構成される再生リストが記録媒体に対して記録され、再生範囲の接続点の状態が分類されて、該分類結果を示す情報を再生範囲情報に付加するよう制御される。
請求項１１に記載の再生装置は、ＡＶデータ、およびＡＶデータの再生範囲を示す情報と前記再生範囲の接続点の状態を示す情報とを含む再生範囲情報から構成される再生リストを記録媒体から読み出す読み出し手段と、再生範囲の接続点の状態を示す情報に基づいて、ＡＶデータの再生を制御する制御手段とを含む。
請求項１１に記載の再生装置においては、ＡＶデータ、およびＡＶデータの再生範囲を示す情報と前記再生範囲の接続点の状態を示す情報とを含む再生範囲情報から構成される再生リストが記録媒体から読み出され、再生範囲の接続点の状態を示す情報に基づいて、ＡＶデータの再生が制御される。
【手続補正１５】
【補正対象書類名】明細書
【補正対象項目名】００７５
【補正方法】変更
【補正の内容】
【００７５】
ブリッジシーケンス作成条件２−１を説明する。
【手続補正１６】
【補正対象書類名】明細書
【補正対象項目名】００９２
【補正方法】変更
【補正の内容】
【００９２】
次に、Playlistに基づく再生処理について、図２８のフローチャートを参照して説明する。ステップＳ２１において、既存のPlaylistの中から１つが選択される。ステップＳ２２において、ステップＳ２１で選択されたPlaylistを構成する先頭のPlayitemが選択されて当該先頭のPlayitemに基づいてClipの再生が開始される。ステップＳ２３において、選択されたPlayitemに基づくClipの再生が終了したか否かが判定され、Playitemに基づくClipの再生が終了したと判定されるまで待機される。Playitemに基づくClipの再生が終了したと判定された場合、ステップＳ２４に進む。
【手続補正１７】
【補正対象書類名】明細書
【補正対象項目名】００９９
【補正方法】変更
【補正の内容】
【００９９】
次に、ブリッジシーケンス作成条件２−１「ユーザが指定したOUT点に基づいてａ点の位置を決める」の具体的な処理について、図２９のフローチャートを参照して説明する。
【手続補正１８】
【補正対象書類名】明細書
【補正対象項目名】０１１０
【補正方法】変更
【補正の内容】
【０１１０】
【発明の効果】
以上のように、本発明の記録装置および方法、並びに記録媒体のプログラムによれば、非破壊編集を実行した際、ＡＶ信号を途切れさせることなく再生できるようにＡＶデータを記録することが可能となる。
【手続補正１９】
【補正対象書類名】明細書
【補正対象項目名】０１１１
【補正方法】変更
【補正の内容】
【０１１１】
また、本発明の再生装置および方法、並びに記録媒体のプログラムによれば、非破壊編集を実行した際、ＡＶ信号を途切れさせることなく再生することが可能となる。
【手続補正２０】
【補正対象書類名】図面
【補正対象項目名】図２７
【補正方法】変更
【補正の内容】
【図２７】
2001157145.tif 000001